(57)【要約】【課題】重量の増加を抑制しつつ、騒音を軽減させることができる無人飛行体を提供する。【解決手段】無人飛行体１００は、無人飛行体１００を飛行させる力を発生させ、それぞれ気流を発生させる発生器１１１〜１１４と、構造物１２１〜１２４と、マイクロフォン１３１〜１３４と、スピーカ１６１〜１６４と、プロセッサ１７０とを備え、構造物１２１〜１２４の各々は、発生器１１１〜１１４の各々の騒音源をそれぞれ覆い、気流の方向及び気流の方向と反対方向にそれぞれ貫通され、構造物１２１〜１２４の各々の反対方向の端は、発生器１１１〜１１４の各々の騒音源の反対方向の端にそれぞれ対応し、構造物１２１〜１２４の各々の気流の方向の端は、発生器１１１〜１１４の各々の騒音源の気流の方向の端が覆われる位置よりも気流の方向にそれぞれ伸長される。【選択図】図３
2019028436.tif 000002
【特許請求の範囲】
【請求項１】
無人飛行体であって、
前記無人飛行体を飛行させる力を発生させる１つ以上の発生器であって、それぞれ気流を発生させる１つ以上の発生器と、
１つ以上の第１構造物と、
１つ以上のマイクロフォンと、
１つ以上のスピーカと、
前記１つ以上のマイクロフォンから出力されたそれぞれの第１信号に従って、第２信号を生成するプロセッサとを備え、
前記１つ以上の発生器の各々にそれぞれ対応する前記１つ以上の第１構造物の各々は、前記１つ以上の発生器の各々の騒音源をそれぞれ覆い、かつ前記１つ以上の発生器の各々が出す気流の方向及び前記気流の方向と反対方向にそれぞれ貫通され、
前記１つ以上の第１構造物の各々の前記反対方向の端は、前記１つ以上の発生器の各々の前記騒音源の前記反対方向の端にそれぞれ対応し、
前記１つ以上の第１構造物の各々の前記気流の方向の端は、前記１つ以上の発生器の各々の前記騒音源の前記気流の方向の端が覆われる位置よりも前記気流の方向にそれぞれ伸長され、
前記１つ以上のマイクロフォンの各々は、前記１つ以上の第１構造物の各々によってそれぞれ覆われる１つ以上の内部領域の各々において、前記１つ以上の発生器の各々よりも前記気流の方向にそれぞれ位置し、
前記１つ以上のスピーカの各々は、前記１つ以上の発生器の各々よりも前記気流の方向にそれぞれ位置し、前記第２信号に従ってそれぞれ音を出力する
無人飛行体。
【請求項２】
前記１つ以上の第１構造物の各々の前記気流の方向に垂直な断面は、前記反対方向の端に近いほど、より大きい
請求項１に記載の無人飛行体。
【請求項３】
前記１つ以上の第１構造物の各々の前記反対方向の端にそれぞれ接続されて前記１つ以上の第１構造物の各々を延長する１つ以上の第２構造物をさらに備え、
前記１つ以上の第２構造物の各々の前記気流の方向に垂直な断面は、前記１つ以上の第２構造物の各々の前記反対方向の端に近いほど、より大きい
請求項１又は２に記載の無人飛行体。
【請求項４】
前記１つ以上のスピーカは、前記気流の方向に向かって、それぞれ前記音を出力する
請求項１〜３のいずれか１項に記載の無人飛行体。
【請求項５】
前記プロセッサは、前記それぞれの第１信号によって示されるそれぞれの音の逆位相音を示す信号を用いて前記第２信号を生成する
請求項１〜４のいずれか１項に記載の無人飛行体。
【請求項６】
前記１つ以上の発生器は、前記無人飛行体の飛行時において前記無人飛行体の下側の方向へ気流をそれぞれ出す
請求項１〜５のいずれか１項に記載の無人飛行体。
【請求項７】
前記１つ以上の発生器は、２つ以上の発生器であり、
前記１つ以上の第１構造物は、２つ以上の第１構造物であり、
前記１つ以上のマイクロフォンは、２つ以上のマイクロフォンであり、
前記１つ以上のスピーカは、２つ以上のスピーカであり、
請求項１〜６のいずれか１項に記載の無人飛行体。
【請求項８】
前記１つ以上の発生器は、それぞれ前記騒音源として１つ以上の回転翼を備える
請求項１〜７のいずれか１項に記載の無人飛行体。
【請求項９】
前記１つ以上の第１構造物の各々の前記気流の方向の長さは、前記無人飛行体が高度を維持する場合における前記１つ以上の回転翼の回転数に応じた長さである
請求項８に記載の無人飛行体。
【請求項１０】
前記１つ以上のスピーカの各々は、前記１つ以上の内部領域の各々にそれぞれ配置される
請求項１〜９のいずれか１項に記載の無人飛行体。
【請求項１１】
前記１つ以上の発生器は、それぞれ１つ以上の回転翼を備え、
前記１つ以上のスピーカの各々は、前記１つ以上の回転翼の回転軸の延長線上にそれぞれ配置される
請求項１０に記載の無人飛行体。
【発明の詳細な説明】
【技術分野】
【０００１】
本開示は、無人飛行体に関する。
【背景技術】
【０００２】
無人飛行体に関して、特許文献１には、横風が機体に及ぼす影響が低減される無人航空機が提案されている。具体的には、特許文献１に記載の無人航空機は、機軸に沿って延びる胴体と、胴体に取り付けられ、機軸に平行な方向に風を送るプロペラと、プロペラの風下側に配置された操舵翼と、ダクトとを具備する。ダクトは、機軸に直交する方向から見たときにプロペラ及び操舵翼がダクトからはみ出さないようにプロペラ及び操舵翼を囲む。
【先行技術文献】
【特許文献】
【０００３】
【特許文献１】特開２００９−５７１８２号公報
【発明の概要】
【発明が解決しようとする課題】
【０００４】
しかしながら、特許文献１に記載の無人航空機では、ダクトによって重量が増加する。そのため、飛行時に消費されるエネルギーが大きい。また、飛行時にプロペラの回転等によって騒音が発生すると想定される。
【０００５】
そこで、本開示は、重量の増加を抑制しつつ、騒音を軽減させることができる無人飛行体を提供することを目的とする。
【課題を解決するための手段】
【０００６】
本開示の一態様に係る無人飛行体は、前記無人飛行体を飛行させる力を発生させる１つ以上の発生器であって、それぞれ気流を発生させる１つ以上の発生器と、１つ以上の第１構造物と、１つ以上のマイクロフォンと、１つ以上のスピーカと、前記１つ以上のマイクロフォンから出力されたそれぞれの第１信号に従って、第２信号を生成するプロセッサとを備え、前記１つ以上の発生器の各々にそれぞれ対応する前記１つ以上の第１構造物の各々は、前記１つ以上の発生器の各々の騒音源をそれぞれ覆い、かつ前記１つ以上の発生器の各々が出す気流の方向及び前記気流の方向と反対方向にそれぞれ貫通され、前記１つ以上の第１構造物の各々の前記反対方向の端は、前記１つ以上の発生器の各々の前記騒音源の前記反対方向の端にそれぞれ対応し、前記１つ以上の第１構造物の各々の前記気流の方向の端は、前記１つ以上の発生器の各々の前記騒音源の前記気流の方向の端が覆われる位置よりも前記気流の方向にそれぞれ伸長され、前記１つ以上のマイクロフォンの各々は、前記１つ以上の第１構造物の各々によってそれぞれ覆われる１つ以上の内部領域の各々において、前記１つ以上の発生器の各々よりも前記気流の方向にそれぞれ位置し、前記１つ以上のスピーカの各々は、前記１つ以上の発生器の各々よりも前記気流の方向にそれぞれ位置し、前記第２信号に従ってそれぞれ音を出力する。
【０００７】
なお、これらの包括的又は具体的な態様は、システム、装置、方法、集積回路、コンピュータプログラム、又は、コンピュータ読み取り可能なＣＤ−ＲＯＭなどの非一時的な記録媒体で実現されてもよく、システム、装置、方法、集積回路、コンピュータプログラム、及び、記録媒体の任意な組み合わせで実現されてもよい。
【発明の効果】
【０００８】
本開示の一態様に係る無人飛行体は、重量の増加を抑制しつつ、騒音を軽減させることができる。
【図面の簡単な説明】
【０００９】
【図１】図１は、実施の形態における無人飛行体の構成を示す外観図である。
【図２】図２は、実施の形態における構造物が取り除かれた無人飛行体の構成を示す概念図である。
【図３】図３は、実施の形態における無人飛行体の構成を示す断面図である。
【図４】図４は、実施の形態における無人飛行体の動作を示すフローチャートである。
【図５】図５は、第１変形例における無人飛行体の構成を示す断面図である。
【図６】図６は、第２変形例における無人飛行体の構成を示す外観図である。
【図７】図７は、第２変形例における無人飛行体の構成を示す断面図である。
【図８】図８は、第２変形例における無人飛行体の別の構成を示す断面図である。
【図９】図９は、第３変形例における音圧分布の第１パターンを示す分布図である。
【図１０】図１０は、第３変形例における音圧分布の第２パターンを示す分布図である。
【図１１】図１１は、第３変形例における音圧分布の第３パターンを示す分布図である。
【発明を実施するための形態】
【００１０】
（本開示の基礎となった知見）
近年、ドローン、無人航空機又はＵＡＶ（Ｕｎｍａｎｎｅｄ  Ａｅｒｉａｌ  Ｖｅｈｉｃｌｅ）とも表現される無人飛行体が、様々な分野に利用され始めている。例えば、無人飛行体は、撮影、荷物の配送、行方不明者等の捜索、及び、薬剤の散布等に有効であると想定される。
【００１１】
一方で、無人飛行体が飛行時に発生する騒音は大きい。例えば、無人飛行体に搭載されたプロペラが回転することにより、騒音が発生する。具体的には、プロペラが回転することにより、プロペラを構成する１つのブレードから翼端渦が発生する。この翼端渦がプロペラを構成する他のブレードに当たることにより、騒音が発生する。
【００１２】
そのため、大きい騒音を発生する無人飛行体の利用が制限される可能性がある。例えば、病院及び図書館等のような静かな環境、及び、夜間などの静かな時間帯では、無人飛行体の利用が制限される可能性がある。さらに、騒音のため、人の近くを飛行と恐怖感が生まれ、安全に飛行することが難しい。
【００１３】
また、無人飛行体が重い場合、円滑な飛行が妨げられるし、飛行時に消費されるエネルギーも増加する。無人飛行体は、飛行中に飛行のためのエネルギーを外部から取得することが困難である。したがって、無人飛行体が重い場合、長時間の飛行が妨げられる。
【００１４】
そこで、本開示の一態様に係る無人飛行体は、前記無人飛行体を飛行させる力を発生させる１つ以上の発生器であって、それぞれ気流を発生させる１つ以上の発生器と、１つ以上の第１構造物と、１つ以上のマイクロフォンと、１つ以上のスピーカと、前記１つ以上のマイクロフォンから出力されたそれぞれの第１信号に従って、第２信号を生成するプロセッサとを備え、前記１つ以上の発生器の各々にそれぞれ対応する前記１つ以上の第１構造物の各々は、前記１つ以上の発生器の各々の騒音源をそれぞれ覆い、かつ前記１つ以上の発生器の各々が出す気流の方向及び前記気流の方向と反対方向にそれぞれ貫通され、前記１つ以上の第１構造物の各々の前記反対方向の端は、前記１つ以上の発生器の各々の前記騒音源の前記反対方向の端にそれぞれ対応し、前記１つ以上の第１構造物の各々の前記気流の方向の端は、前記１つ以上の発生器の各々の前記騒音源の前記気流の方向の端が覆われる位置よりも前記気流の方向にそれぞれ伸長され、前記１つ以上のマイクロフォンの各々は、前記１つ以上の第１構造物の各々によってそれぞれ覆われる１つ以上の内部領域の各々において、前記１つ以上の発生器の各々よりも前記気流の方向にそれぞれ位置し、前記１つ以上のスピーカの各々は、前記１つ以上の発生器の各々よりも前記気流の方向にそれぞれ位置し、前記第２信号に従ってそれぞれ音を出力する。
【００１５】
これにより、無人飛行体は、発生器で発生すると想定される騒音を気流の方向にまとめることができる。そして、無人飛行体は、気流の方向にまとめられた騒音をマイクロフォンによって収音し、収音された騒音に従って、スピーカから騒音を打ち消す音を出力することができる。したがって、無人飛行体は、騒音等のノイズを能動的に逆位相音で抑制するアクティブノイズキャンセリング等を適用することができ、発生器で発生すると想定される騒音を軽減させることができる。
【００１６】
さらに、無人飛行体は、気流の上流側を第１構造物で覆わないため、無人飛行体の重量の増加を抑制し、騒音の影響が大きいと想定される下流側の騒音を効率的に軽減させることができる。
【００１７】
例えば、前記１つ以上の第１構造物の各々の前記気流の方向に垂直な断面は、前記反対方向の端に近いほど、より大きくてもよい。
【００１８】
これにより、無人飛行体は、重量の増加を適切に抑制しつつ、騒音が気流の上流側から気流の下流側に回り込むことを抑制することができる。したがって、無人飛行体は、気流の下流側の騒音を効率的に軽減させることができる。
【００１９】
また、例えば、前記１つ以上の第１構造物の各々の前記反対方向の端にそれぞれ接続されて前記１つ以上の第１構造物の各々を延長する１つ以上の第２構造物をさらに備え、前記１つ以上の第２構造物の各々の前記気流の方向に垂直な断面は、前記１つ以上の第２構造物の各々の前記反対方向の端に近いほど、より大きくてもよい。
【００２０】
これにより、無人飛行体は、騒音が気流の上流側から気流の下流側に回り込むことを適切に抑制することができる。したがって、無人飛行体は、気流の下流側の騒音を効率的に軽減させることができる。
【００２１】
また、例えば、前記１つ以上のスピーカは、前記気流の方向に向かって、それぞれ前記音を出力してもよい。
【００２２】
これにより、無人飛行体は、スピーカから気流の方向に出力される音によって、気流の方向にまとめられた騒音を効率的に軽減させることができる。
【００２３】
また、例えば、前記プロセッサは、前記それぞれの第１信号によって示されるそれぞれの音の逆位相音を示す信号を用いて前記第２信号を生成してもよい。
【００２４】
これにより、無人飛行体は、逆位相音によって、気流の方向にまとめられた騒音を効率的に軽減させることができる。
【００２５】
また、例えば、前記１つ以上の発生器は、前記無人飛行体の飛行時において前記無人飛行体の下側の方向へ気流をそれぞれ出してもよい。
【００２６】
これにより、無人飛行体は、無人飛行体の飛行時において、下側に向かう騒音を軽減させることができる。
【００２７】
また、例えば、前記１つ以上の発生器は、２つ以上の発生器であり、前記１つ以上の第１構造物は、２つ以上の第１構造物であり、前記１つ以上のマイクロフォンは、２つ以上のマイクロフォンであり、前記１つ以上のスピーカは、２つ以上のスピーカであってもよい。
【００２８】
これにより、無人飛行体は、複数の発生器に従って、無人飛行体が飛行するための力を発生させることができる。また、無人飛行体は、複数の発生器のそれぞれで発生すると想定される騒音を軽減させることができる。
【００２９】
また、例えば、前記１つ以上の発生器は、それぞれ前記騒音源として１つ以上の回転翼を備えてもよい。
【００３０】
これにより、無人飛行体は、回転翼に従って、無人飛行体が飛行するための力を発生させることができる。また、無人飛行体は、回転翼によって発生する騒音を軽減することができる。
【００３１】
また、例えば、前記１つ以上の第１構造物の各々の前記気流の方向の長さは、前記無人飛行体が高度を維持する場合における前記１つ以上の回転翼の回転数に応じた長さであってもよい。
【００３２】
これにより、無人飛行体は、回転翼によって発生する騒音を適切に軽減することができる。
【００３３】
また、例えば、前記１つ以上のスピーカの各々は、前記１つ以上の内部領域の各々にそれぞれ配置されてもよい。
【００３４】
これにより、無人飛行体は、内部領域におけるスピーカから出力される音によって、内部領域から漏れ出て広がる騒音を効率的に軽減させることができる。
【００３５】
また、例えば、前記１つ以上の発生器は、それぞれ１つ以上の回転翼を備え、前記１つ以上のスピーカの各々は、前記１つ以上の回転翼の回転軸の延長線上にそれぞれ配置されてもよい。
【００３６】
これにより、無人飛行体は、回転軸の延長線上のスピーカから出力される音によって、回転軸の延長線上を中心に広がる騒音を効率的に軽減させることができる。
【００３７】
さらに、これらの包括的又は具体的な態様は、システム、装置、方法、集積回路、コンピュータプログラム、又は、コンピュータ読み取り可能なＣＤ−ＲＯＭなどの非一時的な記録媒体で実現されてもよく、システム、装置、方法、集積回路、コンピュータプログラム、及び、記録媒体の任意な組み合わせで実現されてもよい。
【００３８】
以下、実施の形態について図面を参照しながら具体的に説明する。なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、請求の範囲を限定する主旨ではない。また、以下の実施の形態における構成要素のうち、最上位概念を示す独立請求項に記載されていない構成要素については、任意の構成要素として説明される。
【００３９】
また、以下の説明に用いられる各図は、模式図であり、必ずしも厳密に構成要素の配置及び大きさ等を図示していない。
【００４０】
（実施の形態）
図１は、本実施の形態における無人飛行体の構成を示す外観図である。図１において、無人飛行体１００は、発生器１１１〜１１４、構造物（ダクト）１２１〜１２４、マイク（マイクロフォン）１３１〜１３４、及び、筐体１４０を備えている。なお、無人飛行体１００は撮像装置を備えてもよい。
【００４１】
発生器１１１〜１１４は、無人飛行体１００を飛行させる力を発生させる。例えば、発生器１１１〜１１４のそれぞれは、動力源、動力源から伝達される動力を利用して飛行力を発生させるアクチュエータ及びその他の構造物等で構成される機械であって、例えば、モータ、１つ以上の回転翼及び当該１つ以上の回転翼を覆うダクト又はガードを備える。具体的には、発生器１１１〜１１４のそれぞれが、個別に力を発生させる。無人飛行体１００を飛行させる力は、発生器１１１〜１１４で個別に発生する複数の力を含む。また、無人飛行体１００を飛行させる力は、発生器１１１〜１１４で個別に発生する複数の力が発生器１１１〜１１４の全体で合成された力とも表現される。発生器１１１〜１１４で個別に発生する力は、例えば無人飛行体１００を垂直方向に移動すなわち上昇させる揚力又は無人飛行体１００を水平方向に移動すなわち前後左右に移動させる推力と表現されてもよい。
【００４２】
また、発生器１１１〜１１４のそれぞれは、個別に発生する力の方向とは、反対方向に気流を発生させる。個別に発生する力の方向は、発生器１１１〜１１４の間で異なっていてもよく、これにより、気流の方向は、発生器１１１〜１１４の間で異なっていてもよい。また、発生器１１１〜１１４で個別に発生する力は、無人飛行体１００を飛行させる力の成分とも表現され得る。すなわち、発生器１１１〜１１４のそれぞれは、無人飛行体１００を飛行させる力の成分を気流の方向とは反対方向に発生させる。
【００４３】
ここで、気流の方向は、気流の中心的な１つの方向であって、上流側から下流側へ向かう方向（発生器が出す気流の方向）である。例えば、発生器１１１〜１１４のそれぞれは、無人飛行体１００の飛行時において、無人飛行体１００の上側の方向へ力を発生させ、無人飛行体１００の下側の方向へ気流を発生させる。上側の方向は、必ずしも真上の方向でなくてもよい。また、下側の方向は、必ずしも真下の方向でなくてもよい。
【００４４】
より具体的には、無人飛行体１００は、発生器１１１〜１１４のそれぞれが１つ以上の回転翼で構成される場合、各回転翼が回転することにより、上側に揚力を発生させ、下側に気流を発生させる。具体的には、回転翼で発生する気流の方向及び力の方向は、回転翼の軸に沿う互いに反対の方向である。無人飛行体１００は、上側に発生する揚力によって、上側に揚がる。また、無人飛行体１００は、発生器１１１〜１１４のうちの少なくとも１つの回転翼を他の発生器の回転翼と異なる回転数で回転させることにより、前後左右のいずれかに推力を発生させる。そして、各回転翼において、騒音が発生する。
【００４５】
なお、発生器１１１〜１１４のそれぞれは、力発生器、気流発生器又は推進器とも表現され得る。
【００４６】
構造物１２１〜１２４のそれぞれは、貫通孔を有する構造物であって、ダクトとも表現され得る。構造物１２１〜１２４のそれぞれには、他の構成要素が部分的に含む構造物と同じ素材が用いられてもよいし、異なる素材が用いられてもよい。例えば、構造物１２１〜１２４のそれぞれには、純物質が用いられてもよいし、混合物が用いられてもよい。
【００４７】
より具体的には、金属が用いられてもよいし、樹脂が用いられてもよいし、木材が用いられてもよいし、その他の素材が用いられてもよい。また、遮音材が用いられてもよいし、吸音材が用いられてもよいし、それらの組み合わせが用いられてもよい。
【００４８】
また、例えば、図１のように、構造物１２１〜１２４のそれぞれは、筒状の形状を有していてもよい。具体的には、構造物１２１〜１２４のそれぞれは、円形の断面形状を有する円筒であってもよいし、四角形の断面形状を有する角筒であってもよい。また、断面形状は、三角形であってもよいし、六角形であってもよいし、その他の形状であってもよい。また、構造物１２１〜１２４のそれぞれにおいて、内壁と外壁との厚みは一定でなくてもよい。
【００４９】
また、図１において構造物１２１〜１２４は同じ形状を有しているが、構造物１２１〜１２４は互いに異なる形状を有していてもよい。また、図１において構造物１２１〜１２４は互いに離れているが、構造物１２１〜１２４は、一体化されていてもよい。
【００５０】
また、構造物１２１〜１２４は、それぞれ、発生器１１１〜１１４に対応している。つまり、構造物１２１〜１２４のそれぞれに対して、発生器１１１〜１１４の少なくとも１つが定められる。例えば、構造物１２１〜１２４は、発生器１１１〜１１４に一対一に対応していてもよい。ここでは、構造物１２１が発生器１１１に対応し、構造物１２２が発生器１１２に対応し、構造物１２３が発生器１１３に対応し、構造物１２４が発生器１１４に対応している。
【００５１】
そして、構造物１２１は、発生器１１１の騒音源を覆い、かつ発生器１１１が出す気流の方向及び当該気流の方向と反対方向に貫通されている。騒音源は、例えば１つ以上の回転翼である。なお、騒音源のみを意味して発生器と称する場合もある。構造物１２１の貫通部分を貫通孔とも称する。言い換えると、構造物１２１の貫通孔には、発生器１１１が物理的に収容される。そして、構造物１２１は、貫通孔によって、発生器１１１で発生する気流、及び、発生器１１１を覆う。具体的には、構造物１２１は、発生器１１１で発生する気流の方向に垂直な複数の方向から気流の進路の周囲を覆い、構造物１２１の上端部分によって、気流の方向に垂直な複数の方向から発生器１１１の周囲を覆う。
【００５２】
ここで、構造物１２１の上記反対方向の端は、発生器１１１の騒音源の上記反対方向の端に対応する。具体的には、構造物１２１の上端部分は、構造物１２１における気流の上流側の端部分である。例えば、構造物１２１の上端部分は、構造物１２１における気流の上流側の端を含み、気流の方向に垂直な複数の方向から発生器１１１の周囲を覆うための幅を気流の方向に対して有する。構造物１２１における気流の上流側の端は、構造物１２１の上端、又は、構造物１２１の上端部分の上端とも表現される。
【００５３】
また、気流の進路は、発生器１１１が発生させる気流の方向に沿う進路である。気流の方向に垂直な複数の方向は、例えば、気流の方向に垂直な全ての方向である。つまり、構造物１２１は、気流の進路を筒状に覆う。そして、構造物１２１の上端部分が、気流の方向に垂直な複数の方向から、１つ以上の回転翼を含む発生器１１１全体を覆う。例えば、１つ以上の回転翼の上記反対方向の端が、構造物１２１の上記反対方向の端に隠れるように対応する。これにより、発生器１１１の側面全体が、構造物１２１の上端部分で覆われる。なお、発生器１１１が備える構成のうち無人飛行体の飛行時に騒音を発生させない構成は、構造物１２１に覆われていなくてもよい。例えば、発生器１１１に備えられる回転翼を固定するためのシャフトなどの構成は、構造物１２１の上記反対方向の端よりも上記反対方向に伸長していてもよい。
【００５４】
また、構造物１２１の上記気流の方向の端は、発生器１１１の騒音源の上記気流の方向の端が覆われる位置よりも上記気流の方向に伸長されている。具体的には、構造物１２１の貫通孔は、発生器１１１を収容するための大きさを有する。また、構造物１２１の貫通孔の上記気流の方向の長さは、上記上端部分よりも長い。貫通孔は、例えば貫通孔の幅の１／３から２倍までの長さを有していてもよい。この範囲は例であって、貫通孔の長さはこの範囲に制限されなくてもよい。また、貫通孔の長さは、気流の方向に対する貫通孔の長さであり、貫通孔の幅は、気流の方向に対して垂直な方向に対する貫通孔の幅である。
【００５５】
同様に、構造物１２２は、発生器１１２で発生する気流の方向に垂直な複数の方向から気流の進路の周囲を覆い、構造物１２２の上端部分によって、気流の方向に垂直な複数の方向から発生器１１２の周囲を覆う。同様に、構造物１２３は、発生器１１３で発生する気流の進路、及び、発生器１１３を覆い、構造物１２４は、発生器１１４で発生する気流の進路、及び、発生器１１４を覆う。
【００５６】
マイク１３１〜１３４のそれぞれは、音を取得し、取得された音を信号に変換し、信号を出力する装置である。つまり、マイク１３１〜１３４のそれぞれは、音を収音し、収音された音を示す信号を出力する。
【００５７】
また、マイク１３１〜１３４は、それぞれ、発生器１１１〜１１４に対応している。つまり、マイク１３１〜１３４のそれぞれに対して、発生器１１１〜１１４の少なくとも１つが定められる。例えば、マイク１３１〜１３４は、発生器１１１〜１１４に一対一に対応していてもよい。ここでは、マイク１３１が発生器１１１に対応し、マイク１３２が発生器１１２に対応し、マイク１３３が発生器１１３に対応し、マイク１３４が発生器１１４に対応している。
【００５８】
そして、マイク１３１は、発生器１１１に対応して配置され、マイク１３２は、発生器１１２に対応して配置され、マイク１３３は、発生器１１３に対応して配置され、マイク１３４は、発生器１１４に対応して配置される。
【００５９】
具体的には、マイク１３１は、発生器１１１に対応する構造物１２１によって覆われる内部領域において、発生器１１１よりも気流の下流側に配置される。構造物１２１によって覆われる内部領域は、構造物１２１の貫通孔とも表現され得る。ここでは、マイク１３１が、内部領域の中央部分に配置されているが、構造物１２１の内側の表面に配置されてもよい。
【００６０】
同様に、マイク１３２は、発生器１１２に対応する構造物１２２によって覆われる内部領域において、発生器１１２よりも気流の下流側に配置される。マイク１３３及び１３４も同様に配置される。
【００６１】
筐体１４０は、プロセッサ及びメモリ等を物理的に収容するための構造物である。例えば、発生器１１１〜１１４、構造物１２１〜１２４、マイク１３１〜１３４及び筐体１４０は、１つ以上の支持構造物を介して連結され、相対的な配置が維持されるように１つ以上の支持構造物によって物理的に支持される。
【００６２】
図２は、図１に示された構造物１２１〜１２４が取り除かれた無人飛行体１００の構成を示す概念図である。無人飛行体１００は、さらに、スピーカ１６１〜１６４を備えている。そして、スピーカ１６１〜１６４が、１つ以上の支持構造物を介して筐体１４０等に連結され、１つ以上の支持構造物によって物理的に支持される。例えば、スピーカ１６１〜１６４は、発生器１１１〜１１４の回転翼の回転軸の延長線上にそれぞれ配置される。例えば、スピーカ１６１〜１６４は、発生器１１１〜１１４の回転翼のシャフトなどの回転支持軸の途中又は端に配置されてもよいし、回転支持軸の延長線上よりも下方向に回転支持軸とは別の支持構造物によって設置されてもよい。
【００６３】
スピーカ１６１〜１６４のそれぞれは、信号を取得し、取得された信号を音に変換し、音を出力する装置である。つまり、スピーカ１６１〜１６４のそれぞれは、取得された信号によって示される音を出力する。
【００６４】
また、スピーカ１６１〜１６４は、それぞれ、発生器１１１〜１１４に対応している。つまり、スピーカ１６１〜１６４のそれぞれに対して、発生器１１１〜１１４の少なくとも１つが定められる。例えば、スピーカ１６１〜１６４は、発生器１１１〜１１４に一対一に対応している。ここでは、スピーカ１６１が発生器１１１に対応し、スピーカ１６２が発生器１１２に対応し、スピーカ１６３が発生器１１３に対応し、スピーカ１６４が発生器１１４に対応している。
【００６５】
そして、スピーカ１６１は、発生器１１１に対応して配置され、スピーカ１６２は、発生器１１２に対応して配置され、スピーカ１６３は、発生器１１３に対応して配置され、スピーカ１６４は、発生器１１４に対応して配置される。
【００６６】
具体的には、スピーカ１６１は、発生器１１１に対応する構造物１２１によって覆われる内部領域において、発生器１１１よりも気流の下流側に配置される。具体的には、スピーカ１６１は、発生器１１１に対応するマイク１３１よりも発生器１１１で発生する気流の下流側に配置される。同様に、スピーカ１６２は、発生器１１２に対応するマイク１３２よりも発生器１１２で発生する気流の下流側に配置される。スピーカ１６３及び１６４も、同様に、発生器１１３及び発生器１１４に対応して配置される。なお、スピーカ１６１は、発生器１１１よりも気流の下流側であれば、発生器１１１に対応するマイク１３１よりも発生器１１１で発生する気流の上流側に配置されてもよい。この場合、マイク１３１はノイズマイクではなくエラーマイクとして用いられる。
【００６７】
また、例えば、スピーカ１６１は、発生器１１１で発生する気流の方向に向かって音を出力する。具体的には、スピーカ１６１は、基本的に、指向性を有し、音を出力する場合に音の強度が大きい方向を音の出力方向として有している。スピーカ１６１は、この出力方向が気流の方向に一致するように配置される。同様に、スピーカ１６２は、発生器１１２で発生する気流の方向に向かって音を出力する。同様に、スピーカ１６３及び１６４のそれぞれも、気流の方向に向かって音を出力する。
【００６８】
また、スピーカ１６１〜１６４は、気流の方向に垂直な複数の方向から構造物１２１〜１２４に覆われていてもよいし、覆われていなくてもよい。例えば、スピーカ１６１は、構造物１２１によって覆われる内部領域に位置していてもよいし、その他の領域に位置していてもよい。また、スピーカ１６１は、構造物１２１の内側の表面に配置されてもよい。
【００６９】
図３は、図１に示された無人飛行体１００の構成を示す断面図である。具体的には、図３は、図１に示された無人飛行体１００の発生器１１１及び１１４に対する鉛直面の断面を概念的に示す。発生器１１２及び１１３に対する断面は、発生器１１１及び１１４に対する断面と基本的に同じであるため、発生器１１２及び１１３に対する断面の図示を省略する。図３のように、プロセッサ１７０が筐体１４０に収容されている。すなわち、無人飛行体１００は、さらに、プロセッサ１７０を備えている。
【００７０】
プロセッサ１７０は、情報処理を行う電気回路である。具体的には、プロセッサ１７０は、マイク１３１〜１３４のそれぞれから出力された第１信号に従って、第２信号を生成する。
【００７１】
例えば、プロセッサ１７０は、有線又は無線の通信によって、マイク１３１〜１３４のそれぞれから出力される第１信号を取得する。有線の通信のための通信線が、筐体１４０等を支持するための１つ以上の支持構造物に含まれていてもよい。
【００７２】
また、プロセッサ１７０は、マイク１３１〜１３４のそれぞれから取得された第１信号に従って、第１信号によって示される音の逆位相音を示す第２信号を生成する。例えば、元の音の逆位相音は、元の音の位相に対して逆の位相を有する音であり、元の音の波形が反転された波形を有する音である。
【００７３】
また、プロセッサ１７０は、スピーカ１６１〜１６４のそれぞれへ第２信号を出力する。例えば、プロセッサ１７０は、有線又は無線の通信によって、スピーカ１６１〜１６４のそれぞれへ第２信号を送信することにより、第２信号を出力する。
【００７４】
ここで、プロセッサ１７０は、マイク１３１から取得された第１信号に従って、第１信号によって示される音の逆位相音を示す第２信号を生成し、第２信号をスピーカ１６１へ出力する。同様に、プロセッサ１７０は、マイク１３２から取得された第１信号に従って、第１信号によって示される音の逆位相音を示す第２信号を生成し、第２信号をスピーカ１６２へ出力する。
【００７５】
同様に、プロセッサ１７０は、マイク１３３から取得された第１信号に従って生成された第２信号をスピーカ１６３へ出力し、マイク１３４から取得された第１信号に従って生成された第２信号をスピーカ１６４へ出力する。
【００７６】
スピーカ１６１〜１６４の各々は、第２信号の各々によって示される音をそれぞれ出力する。
【００７７】
例えば、スピーカ１６１は、マイク１３１から出力された第１信号に従って生成された第２信号に従って音を出力する。同様に、スピーカ１６２は、マイク１３２から出力された第１信号に従って生成された第２信号に従って音を出力する。同様に、スピーカ１６３は、マイク１３３から出力された第１信号に従って生成された第２信号に従って音を出力し、スピーカ１６４は、マイク１３４から出力された第１信号に従って生成された第２信号に従って音を出力する。
【００７８】
これにより、マイク１３１に入力された音の逆位相音がスピーカ１６１から出力される。同様に、マイク１３２に入力された音の逆位相音がスピーカ１６２から出力される。同様に、マイク１３３に入力された音の逆位相音がスピーカ１６３から出力され、マイク１３４に入力された音の逆位相音がスピーカ１６４から出力される。したがって、発生器１１１〜１１４で発生する騒音が軽減される。
【００７９】
具体的には、発生器１１１で発生する騒音が、マイク１３１で収音される。そして、騒音の逆位相音が、スピーカ１６１から出力される。これにより、無人飛行体１００は、スピーカ１６１から出力される逆位相音によって、発生器１１１で発生する騒音を打ち消すことができる。
【００８０】
上記のように騒音等のノイズを能動的に逆位相音で抑制する技術は、アクティブノイズキャンセリング（ＡＮＣ）とも呼ばれる。そして、第１信号は、参照信号と表現される場合があり、第２信号は、制御信号と表現される場合がある。
【００８１】
また、発生器１１１で発生する騒音は、気流の下流側において構造物１２１によって気流の方向へまとめられる。また、マイク１３１は、構造物１２１によって覆われる内部領域において、発生器１１１よりも気流の下流側に位置する。したがって、マイク１３１は、気流の方向へまとめられた騒音を適切に収音することができる。
【００８２】
そして、スピーカ１６１は、気流の方向に向かって、気流の方向へまとめられた騒音の逆位相音を出力することにより、騒音を適切に打ち消すことができる。すなわち、スピーカ１６１は、騒音と、騒音の逆位相音とが同じ方向に向かうように、騒音の逆位相音を出力するため、騒音を適切に打ち消すことができる。
【００８３】
また、基本的に、発生器１１１は、無人飛行体１００を飛行させるため、無人飛行体１００の上側の方向に力を発生させ、無人飛行体１００の下側の方向に気流を発生させる。そして、無人飛行体１００の飛行時では、無人飛行体１００の上側よりも下側に対して騒音の影響が大きいと想定される。すなわち、無人飛行体１００の上流側よりも下流側に対して騒音の影響が大きいと想定される。スピーカ１６１は、気流の下流側の騒音を打ち消すことで、影響が大きいと想定される騒音を打ち消すことができる。
【００８４】
さらに、構造物１２１の上端部分が、発生器１１１を覆う。すなわち、発生器１１１よりも気流の上流側を覆わない。したがって、重量の増加が抑制される。
【００８５】
ここでは、発生器１１１で発生する騒音について説明したが、発生器１１２〜１１４のそれぞれで発生する騒音についても同様である。
【００８６】
なお、無人飛行体１００は通信装置を備え、プロセッサ１７０は、無人飛行体１００の外部に位置する外部装置と通信装置を介して無線で通信を行ってもよい。そして、プロセッサ１７０は、無人飛行体１００に対する操作信号を通信装置を介して受信してもよい。そして、プロセッサ１７０は、操作信号に従って、発生器１１２〜１１４等を動作させ、無人飛行体１００を飛行させてもよい。
【００８７】
また、プロセッサ１７０は、筐体１４０とは異なる構成要素に収容されていてもよい。例えば、構造物１２１〜１２４、マイク１３１〜１３４及びスピーカ１６１〜１６４のいずれかに収容されていてもよい。そして、無人飛行体１００は、筐体１４０を備えていなくてもよい。
【００８８】
また、スピーカ１６１〜１６４の各々が、第１信号の各々からそれぞれ生成される第２信号の各々に従って音をそれぞれ出力する例を説明したが、プロセッサ１７０は、マイク１３１〜１３４の各々からそれぞれ取得される第１信号の少なくとも２つを用いて１つの第２信号を生成してもよく、スピーカ１６１〜１６４の各々は、当該１つの第２信号に従ってそれぞれ音を出力してもよい。
【００８９】
図４は、図１に示された無人飛行体１００の動作を示すフローチャートである。無人飛行体１００の複数の構成要素によって、図４に示された動作が行われる。
【００９０】
まず、無人飛行体１００のマイク１３１〜１３４のそれぞれは、騒音を収音し、騒音を示す第１信号を出力する（Ｓ１０１）。プロセッサ１７０は、マイク１３１〜１３４のそれぞれから出力された第１信号を取得する。例えば、マイク１３１〜１３４のそれぞれは、第１信号をプロセッサ１７０へ送信することにより、第１信号を出力する。そして、プロセッサ１７０は、マイク１３１〜１３４のそれぞれから第１信号を受信することにより、第１信号を取得する。
【００９１】
次に、無人飛行体１００のプロセッサ１７０は、マイク１３１〜１３４のそれぞれから出力される第１信号に従って、第１信号によって示される騒音の逆位相音を示す第２信号を生成し、第２信号を出力する（Ｓ１０２）。そして、スピーカ１６１〜１６４は、プロセッサ１７０から第２信号を取得する。
【００９２】
例えば、プロセッサ１７０は、スピーカ１６１〜１６４のそれぞれへ第２信号を送信することにより、第２信号を出力する。そして、スピーカ１６１〜１６４のそれぞれは、プロセッサ１７０から第２信号を受信することにより、第２信号を取得する。
【００９３】
具体的には、プロセッサ１７０は、マイク１３１の第１信号に従って生成された第２信号をスピーカ１６１へ送信する。また、プロセッサ１７０は、マイク１３２の第１信号に従って生成された第２信号をスピーカ１６２へ送信する。また、プロセッサ１７０は、マイク１３３の第１信号に従って生成された第２信号をスピーカ１６３へ送信する。また、プロセッサ１７０は、マイク１３４の第１信号に従って生成された第２信号をスピーカ１６４へ送信する。
【００９４】
そして、スピーカ１６１は、マイク１３１の第１信号に従って生成された第２信号をプロセッサ１７０から受信する。また、スピーカ１６２は、マイク１３２の第１信号に従って生成された第２信号をプロセッサ１７０から受信する。また、スピーカ１６３は、マイク１３３の第１信号に従って生成された第２信号をプロセッサ１７０から受信する。スピーカ１６４は、マイク１３４の第１信号に従って生成された第２信号をプロセッサ１７０から受信する。
【００９５】
次に、無人飛行体１００のスピーカ１６１〜１６４のそれぞれは、第２信号に従って、騒音の逆位相音を出力する（Ｓ１０３）。すなわち、スピーカ１６１〜１６４のそれぞれは、第２信号によって示される逆位相音を出力する。例えば、スピーカ１６１〜１６４のそれぞれは、プロセッサ１７０から受信された第２信号に従って、第２信号によって示される逆位相音を出力する。
【００９６】
これにより、無人飛行体１００は、発生器１１１〜１１４で発生する騒音を軽減させることができる。
【００９７】
なお、図１等において、４つの発生器１１１〜１１４のそれぞれとして、１つの回転面及び１つの回転軸を有する１つの回転翼が示されている。しかしながら、１つの発生器が、複数の回転翼で構成されていてもよい。複数の回転翼は、互いに異なる複数の回転面を有していてもよいし、互いに異なる複数の回転軸を有していてもよい。なお、上記では、回転面の直径を回転翼の全長として１つの回転翼が備えられると説明したが、回転面の半径を回転翼の全長として２つの回転翼が備えられると解釈されてもよい。
【００９８】
ここで、回転翼は、１つ以上の翼を有し、回転することによって、回転軸に沿う方向に力を発生させ、力の発生方向とは反対方向に流出する気流を発生させる。回転翼は、ブレード、ローター又はプロペラとも呼ばれる。また、１つ以上の回転翼は、回転翼セットとも表現され得る。
【００９９】
また、発生器１１１〜１１４のそれぞれは、１つ以上の回転翼でなくてもよい。発生器１１１〜１１４のそれぞれは、ジェットエンジン又はロケットエンジン等であってもよい。
【０１００】
また、無人飛行体１００は、上述した例において４つの発生器１１１〜１１４を備えているが、３つ以下の発生器を備えていてもよいし、５つ以上の発生器を備えていてもよい。同様に、無人飛行体１００は、上述した例において４つの構造物１２１〜１２４を備えているが、３つ以下の構造物を備えていてもよいし、５つ以上の構造物を備えていてもよい。
【０１０１】
同様に、無人飛行体１００は、上述した例において４つのマイク１３１〜１３４を備えているが、３つ以下のマイクを備えていてもよいし、５つ以上のマイクを備えていてもよい。同様に、無人飛行体１００は、上述した例において４つのスピーカ１６１〜１６４を備えているが、３つ以下のスピーカを備えていてもよいし、５つ以上のスピーカを備えていてもよい。
【０１０２】
また、プロセッサ１７０は、複数のサブプロセッサで構成されていてもよい。つまり、プロセッサ１７０として、複数のプロセッサが用いられてもよい。また、プロセッサ１７０は、マルチプロセッサであってもよい。
【０１０３】
また、無人飛行体１００は、無線の通信のためのアンテナを備えていてもよいし、無線通信回路を備えていてもよい。プロセッサ１７０が、無線の通信のための無線通信回路の役割を果たしてもよい。また、無人飛行体１００は、各構成要素を動作させるための電源などのエネルギー源を備えていてもよく、外部の電源と接続されていてもよい。
【０１０４】
また、スピーカ１６１〜１６４のそれぞれについて、音の出力方向は、必ずしも、気流の方向に一致していなくてもよい。すなわち、スピーカ１６１〜１６４のそれぞれは、気流の方向とは異なる方向に向かって、音を出力してもよい。これにより、音の出力方向において騒音が抑制され得る。また、出力された音が拡散することによって、気流の方向においても、騒音が抑制され得る。また、例えば、無指向性とも呼ばれる全指向性のスピーカ１６１が、構造物１２１における気流の下流側に配置されてもよい。
【０１０５】
また、無人飛行体１００は、上述した例において４つの発生器１１１〜１１４に一対一に対応する４つの構造物１２１〜１２４を備えているが、複数の発生器に対応する１つの構造物を備えていてもよい。また、無人飛行体１００は、複数の発生器に対応する１つの構造物、１つのマイク及び１つのスピーカを備えていてもよい。また、無人飛行体１００は、各発生器又は各構造物に対応する複数のマイク及び複数のスピーカを備えていてもよい。例えば、複数のマイク及び複数のスピーカが気流を囲むように配置されてもよい。
【０１０６】
また、無人飛行体１００は、騒音に従って、騒音の逆位相音を出力することにかぎらず、騒音に従って、騒音を目立たなくする音を出力してもよい。例えば、無人飛行体１００は、騒音と同程度の音量で音楽等の音を出力してもよい。
【０１０７】
また、無人飛行体１００は、対称性を有していなくてもよい。以下に示される複数の変形例のそれぞれにおいて示される無人飛行体も、対称性を有していなくてもよい。
【０１０８】
以下、上記の実施の形態の複数の変形例を示す。各変形例において、上記の実施の形態と実質的に同一の構成に対する説明を省略する場合がある。
【０１０９】
（第１変形例）
上記の実施の形態における無人飛行体１００は、４つの発生器１１１〜１１４、４つの構造物１２１〜１２４、４つのマイク１３１〜１３４、及び、４つのスピーカ１６１〜１６４を備えている。これに対して、本変形例における無人飛行体は、１つの発生器、１つの構造物、１つのマイク、及び、１つのスピーカを備えている。
【０１１０】
図５は、本変形例における無人飛行体の構成を示す断面図である。図５に示された無人飛行体２００は、発生器２１０、構造物２２０、マイク２３０、筐体２４０、スピーカ２６０、及び、プロセッサ２７０を備えている。
【０１１１】
本変形例における無人飛行体２００の複数の構成要素のそれぞれは、上記の実施の形態における無人飛行体１００の複数の構成要素のうちの少なくとも１つの構成要素に対応する。無人飛行体２００の複数の構成要素のそれぞれは、無人飛行体１００において対応する少なくとも１つの構成要素と基本的に同じ特徴を有する。
【０１１２】
具体的には、発生器２１０は、発生器１１１〜１１４に対応し、構造物２２０は、構造物１２１〜１２４に対応し、マイク２３０は、マイク１３１〜１３４に対応し、スピーカ２６０は、スピーカ１６１〜１６４に対応する。また、筐体２４０及びプロセッサ２７０は、それぞれ、筐体１４０及びプロセッサ１７０に対応する。
【０１１３】
上記の実施の形態における無人飛行体１００は、４つの発生器１１１〜１１４を備えているが、本変形例における無人飛行体２００は、１つの発生器２１０を備えている。そして、本変形例において、構造物２２０が発生器２１０の気流を覆う。構造物２２０で覆われる内部領域に発生器２１０、マイク２３０、筐体２４０、スピーカ２６０及びプロセッサ２７０が含まれる。そして、プロセッサ２７０は、マイク２３０で収音された音の逆位相音をスピーカ２６０から出力させる。
【０１１４】
これにより、本変形例における無人飛行体２００は、発生器２１０で発生すると想定される騒音を適切に軽減させることができる。すなわち、騒音を適切に軽減させることができる無人飛行体２００は、１つの発生器２１０、１つの構造物２２０、１つのマイク２３０、１つの筐体２４０、１つのスピーカ２６０、及び、１つのプロセッサ２７０で構成され得る。
【０１１５】
なお、上記の実施の形態における無人飛行体１００の発生器１１１〜１１４のそれぞれは、無人飛行体１００を飛行させる力の成分を発生させる。本変形例における無人飛行体２００の発生器２１０も、無人飛行体２００を飛行させる力の成分を発生させるが、この成分は、無人飛行体２００を飛行させる力自体とみなされ得る。
【０１１６】
（第２変形例）
本変形例における無人飛行体を構成する構造物（ダクト）の形状が、上記の実施の形態における無人飛行体１００を構成する構造物（ダクト）１２１〜１２４のそれぞれの形状とは異なる。
【０１１７】
図６は、本変形例における無人飛行体の構成を示す外観図である。本変形例における無人飛行体３００は、上記の実施の形態における無人飛行体１００と同様に、発生器１１１〜１１４、マイク１３１〜１３４、筐体１４０、スピーカ１６１〜１６４、及び、プロセッサ１７０を備えている。そして、無人飛行体３００は、無人飛行体１００の構造物１２１〜１２４にそれぞれ対応する構造物３２１〜３２４を備えている。
【０１１８】
無人飛行体３００の構造物３２１〜３２４は、無人飛行体１００の構造物１２１〜１２４と基本的に同じであるが、形状が異なる。
【０１１９】
図７は、図６に示された無人飛行体３００の構成を示す断面図である。具体的には、図７は、図６に示された無人飛行体３００の発生器１１１及び１１４に対する鉛直面の断面を概念的に示す。発生器１１２及び１１３に対する断面は、発生器１１１及び１１４に対する断面と基本的に同じであるため、発生器１１２及び１１３に対する断面の図示を省略する。
【０１２０】
構造物３２１〜３２４の各々の気流の方向に垂直な断面は、気流の方向と反対方向の端に近いほど、より大きい。すなわち、例えば、図７に示された構造物３２１の上端部分の形状が、図３に示された構造物１２１の上端部分の形状と異なっている。具体的には、構造物３２１の上端部分における気流の上流側が気流の外側へ向かって広がっている。すなわち、構造物３２１の上端部分によって覆われる領域における気流の方向に垂直な断面は、構造物３２１の上端部分の上端に近いほど、より大きい。ここで、構造物３２１の上端部分の上端は、構造物３２１の上端部分における気流の上流側の端である。
【０１２１】
また、構造物３２１の上端部分によって覆われる領域は、構造物３２１によって覆われる内部領域の一部である。また、構造物３２１の上端部分によって覆われる領域は、構造物３２１の上端部分の全体によって覆われる領域に限らず、構造物３２１の上端部分の一部によって覆われる領域であってもよい。構造物３２１の上端部分の一部によって覆われる領域は、上端部分のうち、発生器１１１の中心を通り気流の方向に垂直な平面よりも気流の上流側に位置する部分によって覆われる領域であってもよい。
【０１２２】
このような上端部分の形状によって、発生器１１１で上流側に発生する騒音が上流側に放射される。そして、上流側に発生する騒音が下流側に回り込むことが抑制される。
【０１２３】
同様に、構造物３２２〜３２４のそれぞれの上端部分の気流の上流側が気流の外側へ向かって広がっている。これにより、発生器１１２〜１１４のそれぞれで上流側に発生する騒音が下流側に回り込むことが抑制される。
【０１２４】
なお、第１変形例における構造物２２０の上端部分の気流の上流側が、第２変形例における構造物３２１〜３２４の各上端部分のように、気流の外側へ向かって広がっていてもよい。
【０１２５】
また、上記では構造物の上端部分が構造物の外側へ向かって広がっている例を説明したが、構造物全体が構造物の外側へ向かって広がっていてもよい。例えば、構造物全体が気流の方向に向かってテーパー構造であってもよい。
【０１２６】
また、構造物に別の構造物が接続させられてもよい。具体的には、無人飛行体３００は、構造物３２１〜３２４の各々の上記反対方向の端にそれぞれ接続されて構造物３２１〜３２４の各々を延長する１つ以上の第２構造物をさらに備えてよい。そして、当該１つ以上の第２構造物の各々の気流の方向に垂直な断面は、当該１つ以上の第２構造物の各々の上記反対方向の端に近いほど、より大きい。この場合、発生器から出る騒音が構造物の外側に漏れることをより確実に抑制することができる。
【０１２７】
また、上記の第２構造物は、上記の実施の形態１における無人飛行体１００の構造物１２１〜１２４のそれぞれに接続されてもよい。この場合の例を図８に示す。図８に示された無人飛行体４００は、構造物１２１に接続された第２構造物４２１、及び、構造物１２４に接続された第２構造物４２４を備える、同様に、無人飛行体４００は、構造物１２２及び１２３の各々に接続された第２構造物を備える。
【０１２８】
このような第２構造物が、第１変形例における構造物２２０に接続されてもよいし、第２変形例における構造物３２１〜３２４の各々に接続されてもよい。
【０１２９】
（第３変形例）
本変形例における無人飛行体を構成する構造物（ダクト）の長さは、発生器が備える回転翼の所定の回転数に応じて決定される。具体的には、１つ以上の構造物の各々の気流の方向の長さは、無人飛行体が高度を維持する場合における１つ以上の回転翼の回転数に応じた長さである。
【０１３０】
例えば、回転翼が発生させる騒音の基本周波数は、翼の数と回転翼の回転数から求められる。具体的には、基本周波数ｆ（Ｈｚ）、回転翼の回転数ｒ（ｒｐｍ）、及び、翼の数ｎにおいて、ｆ＝ｒ／６０＊ｎ、という式が成り立つ。ここで、騒音の音圧が相対的に強い方向は基本周波数ｆに応じて変化する。例えば、基本周波数ｆが高くなると音圧が相対的に強い方向が回転翼の回転面に近づき、基本周波数ｆが低くなると音圧が相対的に強い方向が回転翼の回転面から遠ざかる。
【０１３１】
図９、図１０及び図１１では、異なる３パターンの基本周波数ｆにおける騒音の音圧分布をそれぞれ示す。図９、図１０、図１１の順に基本周波数ｆが高くなる。基本周波数ｆが高くなるにつれて、音圧分布の広がりが収束している、言い換えると、破線で示されている音圧の相対的に強い方向が回転翼の回転面に近づいている。それに応じて、構造物の気流の方向の長さは短くなっている。詳細には、構造物の側面は、破線で示されている音圧の相対的に強い方向と交差するように形成されている。
【０１３２】
そこで、構造物の側面の長さは、無人飛行体において想定される周波数を基本周波数ｆとして用いて算出される音圧の相対的に強い方向をカバーする長さに定められる。例えば、想定される周波数としては、飛行高度を維持する際の周波数、又は飛行中の最頻周波数などがある。また、飛行高度を維持する際の最も小さい回転数又は飛行中において最も頻度が高い回転数、及び、翼の数に従って、周波数が想定されてもよい。
【０１３３】
これにより、無人飛行体において、構造物の長さが、騒音抑制に適した長さに定められ得る。したがって、無人飛行体は、構造物の重量が過剰となること又は騒音抑制が不足することを防止することができる。
【０１３４】
なお、図９、図１０及び図１１では、構造物の長さ及び幅の比を示すモデルが示されており、構造物の実際のサイズを示してはいない。例えば、構造物のサイズは、図９、図１０及び図１１に示されたサイズの１／５０〜１／１０程度であってもよい。また、ここで説明された構造物の長さ及び幅は、構造物の貫通孔の長さ及び幅であってもよい。また、本変形例は、上記の実施の形態における無人飛行体１００に適用されてもよいし、第１変形例における無人飛行体２００に適用されてもよいし、第２変形例における無人飛行体３００に適用されてもよい。
【０１３５】
以上、複数の変形例を含む上記の実施の形態等に基づいて無人飛行体の態様を説明したが、無人飛行体の態様は、上記の実施の形態等に限定されない。上記の実施の形態等に対して当業者が思いつく変形が施されてもよいし、上記の実施の形態等における複数の構成要素が任意に組み合わされてもよい。
【０１３６】
例えば、上記の実施の形態等において特定の構成要素によって実行される処理を特定の構成要素の代わりに別の構成要素が実行してもよい。また、複数の処理の順序が変更されてもよいし、複数の処理が並行して実行されてもよい。
【０１３７】
また、説明に用いられた第１及び第２等の序数は、適宜、付け替えられてもよい。また、構成要素などに対して、序数が新たに与えられてもよいし、取り除かれてもよい。
【０１３８】
上記において各構造物には、純物質が用いられてもよいし、混合物が用いられてもよい。例えば、金属が用いられてもよいし、樹脂が用いられてもよいし、木材が用いられてもよいし、その他の素材が用いられてもよい。また、各構成要素の位置は、その構成要素の中心の位置であってもよいし、その構成要素の主要な位置であってもよい。
【０１３９】
また、上流側は、気流の方向とは反対の方向の側に対応し、下流側は、気流の方向の側に対応している。例えば、気流の方向が下方向である場合、上流側は上側であり、下流側は下側である。
【０１４０】
また、上記の実施の形態では、スピーカが構造物の内部に配置される例を説明したが、スピーカは構造物の外側に配置されてもよい。例えば、スピーカは、構造物の側面又は発生器が気流を出す方向の端に配置されてもよい。また、スピーカは、構造物の内部の別の位置に配置されてもよい。例えば、スピーカは、構造物の内側の側面に配置されてもよい。
【０１４１】
以下、本開示の一態様における無人飛行体の基本的な構成及び代表的な変形例等を示す。これらは、互いに組み合わされてもよいし、上記の実施の形態等の一部と組み合わされてもよい。
【０１４２】
（１）本開示の一態様における無人飛行体（１００、２００、３００、４００）は、１つ以上の発生器（１１１〜１１４、２１０）と、１つ以上の第１構造物（１２１〜１２４、２２０、３２１〜３２４）と、１つ以上のマイクロフォン（１３１〜１３４、２３０）と、１つ以上のスピーカ（１６１〜１６４、２６０）と、プロセッサ（１７０、２７０）とを備える。
【０１４３】
そして、１つ以上の発生器（１１１〜１１４、２１０）は、無人飛行体を飛行させる力を発生させ、それぞれ気流を発生させる。また、プロセッサ（１７０、２７０）は、１つ以上のマイクロフォンから出力されたそれぞれの第１信号に従って、第２信号を生成する。
【０１４４】
そして、各発生器にそれぞれ対応する各第１構造物（１２１〜１２４、２２０、３２１〜３２４）は、各発生器の騒音源をそれぞれ覆い、かつ各発生器が出す気流の方向及び気流の方向と反対方向にそれぞれ貫通される。また、各第１構造物の反対方向の端は、各発生器の騒音源の反対方向の端にそれぞれ対応する。また、各第１構造物の気流の方向の端は、各発生器の騒音源の気流の方向の端が覆われる位置よりも気流の方向にそれぞれ伸長される。
【０１４５】
また、各マイクロフォン（１３１〜１３４、２３０）は、各第１構造物によってそれぞれ覆われる各内部領域において、各発生器よりも気流の方向にそれぞれ位置する。また、各スピーカ（１６１〜１６４、２６０）は、各発生器よりも気流の方向にそれぞれ位置し、第２信号に従ってそれぞれ音を出力する。
【０１４６】
これにより、無人飛行体（１００、２００、３００、４００）は、発生器で発生すると想定される騒音を気流の方向にまとめることができる。そして、無人飛行体（１００、２００、３００、４００）は、気流の方向にまとめられた騒音をマイクロフォンによって収音することができる。そして、無人飛行体（１００、２００、３００、４００）は、収音された騒音に従って、スピーカから音を出力することができる。
【０１４７】
したがって、無人飛行体（１００、２００、３００、４００）は、騒音等のノイズを能動的に逆位相音で抑制するアクティブノイズキャンセリング等を適用することができ、発生器で発生すると想定される騒音を軽減させることができる。
【０１４８】
さらに、無人飛行体（１００、２００、３００、４００）は、気流の上流側を第１構造物で覆わないため、無人飛行体の重量の増加を抑制し、騒音の影響が大きいと想定される下流側の騒音を効率的に軽減させることができる。
【０１４９】
（２）例えば、無人飛行体（３００）において、各第１構造物の気流の方向に垂直な断面は、前記反対方向の端に近いほど、より大きくてもよい。これにより、無人飛行体（３００）は、重量の増加を適切に抑制しつつ、騒音が気流の上流側から気流の下流側に回り込むことを抑制することができる。したがって、無人飛行体（３００）は、気流の下流側の騒音を効率的に軽減させることができる。
【０１５０】
（３）例えば、無人飛行体（４００）は、各第１構造物（１２１〜１２４）の反対方向の端にそれぞれ接続されて各第１構造物を延長する１つ以上の第２構造物（４２１、４２４）をさらに備えてもよい。そして、各第２構造物（４２１、４２４）の気流の方向に垂直な断面は、各第２構造物（４２１、４２４）の反対方向の端に近いほど、より大きくてもよい。
【０１５１】
これにより、無人飛行体（４００）は、騒音が気流の上流側から気流の下流側に回り込むことを適切に抑制することができる。したがって、無人飛行体は、気流の下流側の騒音を効率的に軽減させることができる。
【０１５２】
（４）例えば、無人飛行体（１００、２００、３００、４００）において、１つ以上のスピーカ（１６１〜１６４、２６０）は、気流の方向に向かって、それぞれ音を出力してもよい。これにより、無人飛行体（１００、２００、３００、４００）は、スピーカから気流の方向に出力される音によって、気流の方向にまとめられた騒音を効率的に軽減させることができる。
【０１５３】
（５）例えば、無人飛行体（１００、２００、３００、４００）において、プロセッサ（１７０、２７０）は、それぞれの第１信号によって示されるそれぞれの音の逆位相音を示す信号を用いて第２信号を生成してもよい。これにより、無人飛行体（１００、２００、３００、４００）は、逆位相音によって、気流の方向にまとめられた騒音を効率的に軽減させることができる。
【０１５４】
（６）例えば、無人飛行体（１００、２００、３００、４００）において、１つ以上の発生器（１１１〜１１４、２１０）は、無人飛行体の飛行時において無人飛行体の下側の方向へ気流をそれぞれ出してもよい。これにより、無人飛行体（１００、２００、３００、４００）は、無人飛行体の飛行時において、下側に向かう騒音を軽減させることができる。
【０１５５】
（７）例えば、無人飛行体（１００、３００、４００）において、１つ以上の発生器（１１１〜１１４）は、２つ以上の発生器であってもよい。また、１つ以上の第１構造物（１２１〜１２４、３２１〜３２４）は、２つ以上の第１構造物であってもよい。また、１つ以上のマイクロフォン（１３１〜１３４）は、２つ以上のマイクロフォンであってもよい。また、１つ以上のスピーカ（１６１〜１６４）は、２つ以上のスピーカであってもよい。
【０１５６】
そして、各発生器（１１１〜１１４）は、無人飛行体を飛行させる力の成分を発生器で発生する気流の方向とは反対方向に発生させてもよい。
【０１５７】
これにより、無人飛行体（１００、３００、４００）は、複数の発生器に従って、無人飛行体が飛行するための力を発生させることができる。また、無人飛行体（１００、３００、４００）は、各発生器で発生すると想定される騒音を軽減させることができる。
【０１５８】
（８）例えば、無人飛行体（１００、２００、３００、４００）において、１つ以上の発生器（１１１〜１１４、２１０）は、それぞれ騒音源として１つ以上の回転翼を備えてもよい。これにより、無人飛行体（１００、２００、３００、４００）は、回転翼に従って、無人飛行体が飛行するための力を発生させることができる。また、無人飛行体（１００、２００、３００、４００）は、回転翼によって発生する騒音を軽減することができる。
【０１５９】
（９）例えば、無人飛行体（１００、２００、３００、４００）において、各第１構造物（１２１〜１２４、３２１〜３２４）の気流の方向の長さは、無人飛行体が高度を維持する場合における１つ以上の回転翼の回転数に応じた長さであってもよい。
【０１６０】
これにより、無人飛行体（１００、２００、３００、４００）は、回転翼によって発生する騒音を適切に軽減することができる。
【０１６１】
（１０）例えば、無人飛行体（１００、２００、３００、４００）において、各スピーカ（１６１〜１６４、２６０）は、各内部領域にそれぞれ配置されてもよい。これにより、無人飛行体（１００、２００、３００、４００）は、内部領域におけるスピーカから出力される音によって、内部領域から漏れ出て広がる騒音を効率的に軽減させることができる。
【０１６２】
（１１）例えば、無人飛行体（１００、２００、３００、４００）において、１つ以上の発生器（１１１〜１１４、２１０）は、それぞれ１つ以上の回転翼を備えてもよい。そして、各スピーカ（１６１〜１６４、２６０）は、１つ以上の回転翼の回転軸の延長線上にそれぞれ配置されてもよい。これにより、無人飛行体（１００、２００、３００、４００）は、回転軸の延長線上のスピーカから出力される音によって、回転軸の延長線上を中心に広がる騒音を効率的に軽減させることができる。
【産業上の利用可能性】
【０１６３】
本開示は、無人飛行体の騒音の抑制、及び、無人飛行体の軽量化に利用可能であり、静かな環境を飛行する無人飛行体等に適用可能である。
【符号の説明】
【０１６４】
１００、２００、３００、４００  無人飛行体
１１１、１１２、１１３、１１４、２１０  発生器
１２１、１２２、１２３、１２４、２２０、３２１、３２２、３２３、３２４  構造物（ダクト）
１３１、１３２、１３３、１３４、２３０  マイク（マイクロフォン）
１４０、２４０  筐体
１６１、１６２、１６３、１６４、２６０  スピーカ
１７０、２７０  プロセッサ
４２１、４２４  第２構造物
【図１】
2019028436.tif 000003
【図２】
2019028436.tif 000004
【図３】
2019028436.tif 000005
【図４】
2019028436.tif 000006
【図５】
2019028436.tif 000007
【図６】
2019028436.tif 000008
【図７】
2019028436.tif 000009
【図８】
2019028436.tif 000010
【図９】
2019028436.tif 000011
【図１０】
2019028436.tif 000012
【図１１】
2019028436.tif 000013